(57)【要約】【課題】複数の発光源でカバー部材の特定部を照らす発光装置において、特定部全体をムラなく発光させることができる遊技機を提供する。【解決手段】遊技機１０において、光を発する複数の発光源１３０，１４０と、複数の発光源を覆うように配置され、発光源から発せられた光を透過する特定部１１１を有するカバー部材１１０とを備えた発光装置１００が配設されており、発光源は、特定部の外周近傍であって、特定部と対向しない位置に配置され、カバー部材に略直交する方向に光を照射する第１発光源１３０と、特定部の外周近傍に配置され、カバー部材に略平行する方向で、特定部の中心方向に光を照射する第２発光源１４０とを備えた。【選択図】図４
2013116257.tif 000002
【特許請求の範囲】
【請求項１】
光を発する複数の発光源と、
該複数の発光源を覆うように配置され、前記発光源から発せられた光を透過する特定部を有するカバー部材と、
を備えた発光装置が配設されており、
前記発光源は、
前記特定部の外周近傍であって、該特定部と対向しない位置に配置され、前記カバー部材に略直交する方向に光を照射する第１発光源と、
前記特定部の外周近傍に配置され、前記カバー部材に略平行する方向で、前記特定部の中心方向に光を照射する第２発光源と、
を備えたことを特徴とする遊技機。
【発明の詳細な説明】
【技術分野】
【０００１】
本発明は遊技機に関し、特に、発光装置を有する遊技機に関するものである。
【背景技術】
【０００２】
従来、パチンコ遊技機等の遊技機においては、装飾用や遊技演出用の発光装置を備えている。また、発光装置の中には、複数の発光源を覆うカバー部材に光を透過する特定部を有しており、複数の発光源で特定部を照らすことで、特定部全体を発光させるようになっているものがある（例えば、特許文献１参照）。
【先行技術文献】
【特許文献】
【０００３】
【特許文献１】特開２０１１−１３０９０５号公報
【発明の概要】
【発明が解決しようとする課題】
【０００４】
しかしながら、前記したような複数の発光源でカバー部材の特定部を照らす発光装置では、それぞれの発光源からカバー部材の特定部に向けて照射される光の中心部分が、その周囲と比べて明るくなることで点光りとなり、特定部全体としてみたときに光ムラが生じてしまう、という問題があった。
【０００５】
本発明は、このような事情に鑑みてなされたものであり、複数の発光源でカバー部材の光を透過する特定部を照らす発光装置において、特定部全体をムラなく発光させることができる遊技機を提供することを目的とする。
【課題を解決するための手段】
【０００６】
かかる課題を解決するために、本発明の請求項１に記載の発明は、光を発する複数の発光源と、該複数の発光源を覆うように配置され、前記発光源から発せられた光を透過する特定部を有するカバー部材と、を備えた発光装置が配設されており、前記発光源は、前記特定部の外周近傍であって、該特定部と対向しない位置に配置され、前記カバー部材に略直交する方向に光を照射する第１発光源と、前記特定部の外周近傍に配置され、前記カバー部材に略平行する方向で、前記特定部の中心方向に光を照射する第２発光源と、を備えた遊技機としたことを特徴とする。
【０００７】
請求項１に係る発明によれば、複数の発光源でカバー部材の光を透過する特定部を照らす発光装置において、発光源が、光照射方向の異なる第１発光源と第２発光源とで構成されているため、特定部全体をムラなく発光させることができる。
【図面の簡単な説明】
【０００８】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の発光装置を示す拡大正面図である。
【図５】図４のＡ−Ａ断面図である。
【図６】図４のＢ−Ｂ断面図である。
【図７】同パチンコ遊技機の発光装置の第１の変形例を示す拡大正面図である。
【図８】図７のＣ−Ｃ断面図である。
【図９】同パチンコ遊技機の発光装置の第２の変形例を示す断面図である。
【発明を実施するための形態】
【０００９】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１０】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物（図示省略）及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１１】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１２】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１３】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１４】
上述の遊技盤３０は、前枠１２の後面に装着されている。以下、この遊技盤３０及び遊技盤３０に備えられる各構成部材について図３〜図６を参照して詳細に説明する。図３は、本発明の実施の形態におけるパチンコ遊技機の遊技盤の正面図であり、図４は、同パチンコ遊技機の発光装置を示す拡大正面図であり、図５は、図４のＡ−Ａ断面図であり、図６は、図４のＢ−Ｂ断面図である。この遊技盤３０は、上述のように前枠１２の後面に装着されており、窓枠１３の透明板１７ａに前方から覆われている。
【００１５】
遊技盤３０は、その盤面等に各構成部材を固定する板状の部材であり、木製又は樹脂製のものである。ガイドレール３２は、この遊技盤３０の前記透明板１７ａと対向する表面側の盤面に固定されて、この遊技盤３０上に、パチンコ球の発射通路３１ａと、発射されたパチンコ球が転動しながら流下する遊技領域３１ｂとを区画形成する。遊技盤３０における遊技領域３１ｂのほぼ中央部には、当該遊技盤３０に貫設された開口部３８が形成されている。この開口部３８の周縁には、センター装飾部材４０が付設されている。また、センター装飾部材４０には、開口部３８の下部を覆うように、ステージ５０が形成されている。さらに、本実施の形態におけるセンター装飾部材４０には、その上部に装飾及び演出用の発光装置１００を備えている。なお、この発光装置１００の詳細については、後述する。
【００１６】
また、遊技領域３１ｂにおいては、遊技盤３０に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００１７】
また、遊技領域３１ｂにおける遊技盤３０の盤面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００１８】
また、遊技盤３０に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００１９】
また、遊技領域３１ｂ内において、演出表示装置３７の下方には、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２０】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２１】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ５０に誘導されるようになっている。
【００２２】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２３】
また、前記したように、センター装飾部材４０における演出表示装置３７の上部には、装飾及び演出用の発光装置１００を備えている。本実施の形態の発光装置１００は、正面視略円形状の発光装置であり、カバー部材１１０と、基板１２０に配設された発光源１３０，１４０とを備えている。以下、本実施の形態における発光装置１００について、図４〜図６を参照して詳細に説明する。
【００２４】
まず、カバー部材１１０について説明する。本実施の形態のカバー部材１１０は、図４に示すように、正面視略円形状に形成されており、基板１２０に配設された複数の発光源１３０，１４０を全て覆う大きさ及び形状に形成され、複数の発光源１３０，１４０を全て覆うように配置されている。このカバー部材１１０には、中心部分に透明プラスチック等の光透過性を有する材質で形成された特定部１１１を有しており、複数の発光源１３０，１４０から発せられた光を透過するようになっている。本実施の形態の特定部１１１は、「Ａ」という文字で構成されたキャラクタ全体が光るように設けられている。
【００２５】
また、カバー部材１１０において、「Ａ」に形成された特定部１１１以外の非特定部には、次のような部位が形成されている。まず、「Ａ」に形成された特定部１１１の周囲には、不透明な材質で形成されて光を透過しない光不透過部１１２を有している。また、カバー部材１１０の外周端部１１４は、装飾が施された装飾部となっており、その中心側の裏面側に仕切板１１５が配置され、そのさらに中心側に透明プラスチック等の光透過性を有する材質で形成された複数の窓部１１３が配置されている。そして、窓部１１３の中心側に光不透過部１１２及び特定部１１１が配置されている。
【００２６】
次に、基板１２０に配置された発光源１３０，１４０について説明する。本実施の形態では、カバー部材１１０に対向する遊技盤３０の裏側に基板１２０が配置されており、この基板１２０に、光を発する複数の発光源１３０，１４０を備えている。この発光源１３０，１４０は、第１発光源１３０と第２発光源１４０とで構成されている。そして、本実施の形態では、第１発光源１３０と第２発光源１４０とが、交互に並んで特定部１１１の外周近傍を取り囲んでいる。
【００２７】
第１発光源１３０は、特定部１１１の外周近傍であって、特定部１１１と対向せずに非特定部（ここでは、非特定部のうちの光不透過部１１２）と対向する位置に配置され、カバー部材１１０に略直交する方向に光を照射するようになっている。そして、第１発光源１３０から発せられた光は、図５に示すように、カバー部材１１０に向かって、一定の広がりを持って照射され、特定部１１１の外周近傍の一部及び窓部１１３を含む所定の範囲（ここでは、矢印Ｄと矢印Ｅの間の範囲）を照らすようになっている。
【００２８】
第２発光源１４０は、特定部１１１の外周近傍に配置され、カバー部材１１０に略平行する方向で、特定部１１１の中心方向（ここでは、円の中心方向）に光を照射するようになっている。そして、第２発光源１４０から発せられた光は、図６に示すように、特定部１１１の中心方向に向かって、カバー部材１１０と略平行となる方向を中心として、一定の広がりを持って照射され、特定部１１１の中心方向（ここでは、矢印Ｆと矢印Ｇの間の範囲）を照らすようになっている。
【００２９】
そして、第１発光源１３０と第２発光源１４０は、両者から発せられる光が特定部１１１に照射されることにより、両者の光が一部重なる（例えば、図５の矢印Ｄと図６の矢印Ｆが特定部１１１より手前で交差する等）、又は、隙間なく一致する（例えば、図５の矢印Ｄと図６の矢印Ｆが特定部１１１にて交差する等）ように配置されている。
【００３０】
また、本実施の形態では、基板１２０の表面側及びカバー部材１１０における光不透過部１１２の裏面側には、光が反射し易いように白色塗料が塗布されており、光が反射して進むことで、特定部１１１におけるより遠くの位置まで発光源１３０，１４０の光が届くようになっている。特に、第２光源１４０から発せられた光が矢印Ｑに示すように反射して進むことで、より遠くの位置まで光が届くようになっている。なお、仕切板１１５は、特に第１発光源１３０の光がカバー部材１１０の外側に照射されないように遮断する役割を担っている。
【００３１】
次に、本実施の形態の発光装置の第１の変形例について、図７及び図８を用いて説明する。なお、この第１の変形例では、前記した実施の形態と異なる箇所のみ説明し、同様の箇所については説明を省略する（前記した実施の形態と同様の箇所には、前記した実施の形態における符号の最後にＡを付けた符号を付している）。
【００３２】
この第１の変形例では、図７に示すように、第１発光源１３０Ａが非特定部のうちの窓部１３０Ａに対向する位置に、特定部１１１Ａを取り囲むように配置されており、その内側の光不透過部１１２Ａに、第２発光源１４０Ａが特定部１１１Ａを取り囲むように配置されている。すなわち、第１発光源１３０Ａと第２発光源１４０Ａが、前記した実施の形態のように交互に配置されておらず、二重のループになるように配置されているものである。発光源１３０Ａ，１４０Ａをこのように配置することで、第１発光源１３０Ａからは、図８に示すように、矢印Ｈと矢印Ｉの間の範囲に光が照射され、特に窓部１１３Ａに対しては、矢印Ｊに示すように、強い光を照射することができ、その残りの比較的弱い光を、矢印Ｉに示すように、特定部１１１Ａを照射する光として使用することができるものである。なお、第２発光源１４０Ａから照射される光については、矢印Ｋと矢印Ｌの間に照射されるようになっており、前記した実施の形態と同様の範囲に照射されるようになっている。
【００３３】
次に、本実施の形態の発光装置の第２の変形例について、図９を用いて説明する。なお、この第２の変形例では、前記した実施の形態及び第１の変形例と異なる箇所のみ説明し、同様の箇所については説明を省略する（前記した実施の形態と同様の箇所には、前記した実施の形態における符号の最後にＢを付けた符号を付している）。
【００３４】
この第２の変形例では、図９に示すように、第１発光源１３０Ｂと対向する位置のカバー部材１１０Ｂの光不透過部１１２Ｂが特定部１１１Ｂを有する中心方向に向けて傾斜しており、これにより、矢印Ｍと矢印Ｎの間の直接光が届く範囲に加えて、矢印Ｐに示すように、当該傾斜と塗布された白色塗料とで、より遠くの範囲まで光が届くようになっている。
【００３５】
以上のように、本実施の形態のパチンコ遊技機（遊技機）１０は、光を発する複数の発光源１３０，１４０、１３０Ａ，１４０Ａ、１３０Ｂ，１４０Ｂと、該複数の発光源１３０，１４０、１３０Ａ，１４０Ａ、１３０Ｂ，１４０Ｂを覆うように配置され、前記発光源１３０，１４０、１３０Ａ，１４０Ａ、１３０Ｂ，１４０Ｂから発せられた光を透過する特定部１１１、１１１Ａ、１１１Ｂを有するカバー部材１１０、１１０Ａ、１１０Ｂと、を備えた発光装置１００、１００Ａ、１００Ｂが配設されており、前記発光源１３０，１４０、１３０Ａ，１４０Ａ、１３０Ｂ，１４０Ｂは、前記特定部１１１、１１１Ａ、１１１Ｂの外周近傍であって、該特定部１１１、１１１Ａ、１１１Ｂと対向しない位置に配置され、前記カバー部材１１０、１１０Ａ、１１０Ｂに略直交する方向に光を照射する第１発光源１３０、１３０Ａ、１３０Ｂと、前記特定部１１１、１１１Ａ、１１１Ｂの外周近傍に配置され、前記カバー部材１１０、１１０Ａ、１１０Ｂに略平行する方向で、前記特定部１１１、１１１Ａ、１１１Ｂの中心方向に光を照射する第２発光源１４０、１４０Ａ、１４０Ｂと、を備えたパチンコ遊技機（遊技機）１０としたことを特徴とする。
【００３６】
そして、本実施の形態のパチンコ遊技機（遊技機）１０によれば、複数の発光源１３０，１４０、１３０Ａ，１４０Ａ、１３０Ｂ，１４０Ｂでカバー部材１１０、１１０Ａ、１１０Ｂの特定部１１１、１１１Ａ、１１１Ｂを照らす発光装置１００、１００Ａ、１００Ｂにおいて、発光源１３０，１４０、１３０Ａ，１４０Ａ、１３０Ｂ，１４０Ｂが、光照射方向の異なる第１発光源１３０、１３０Ａ、１３０Ｂと第２発光源１４０、１４０Ａ、１４０Ｂとで構成されているため、互いに光が照射される範囲を補い合うと共に、点光りを起こさせずに、特定部１１１、１１１Ａ、１１１Ｂ全体をムラなく発光させることができる。
【００３７】
なお、以上説明した実施の形態は、本発明の理解を容易にするために記載されたものであって、本発明を限定するために記載されたものではない。
【００３８】
例えば、前記した実施の形態では、遊技機としてパチンコ遊技機を挙げて説明したが、本発明はこれに限るものではなく、パチスロ遊技機やアレンジボール等の他の遊技機にも適用可能である。
【００３９】
また、前記した実施の形態では、発光装置の形状が略円形状となっていたが、本発明はこれに限るものではなく、四角や星形を含めた他の形状であっても良い。
【００４０】
また、前記した実施の形態では、光を透過する特定部として「Ａ」という文字で構成されたキャラクタが設けられていたが、本発明はこれに限るものではなく、光を透過する部分で全体をムラなく光らせたいという構成であれば、他の動物や人物等のキャラクタや、キャラクタ以外の模様等の他の装飾であっても良い。
【００４１】
また、前記した実施の形態では、特定部がカバー部材の中心部分に配置されていたが、本発明はこれに限るものではなく、特定部がカバー部材の中心部分からずれた位置等、適宜の位置に配置されていても良い。この場合には、特定部の位置に合わせて第１発光源及び第２発光源等の配置箇所を決定し、特定部全体がムラなく発光するように構成する。
【００４２】
また、前記した実施の形態では、第１発光源及び第２発光源を円形状に配置していたが、本発明はこれに限るものではなく、特定部全体をムラなく発光させることが可能な適宜の位置に第１発光源及び第２発光源を配置すれば良い。例えば、「Ａ」のキャラクタからなる特定部の外形ラインの外側近傍に、「Ａ」の外形ラインに沿った形で第１光源及び第２発光源を配置すれば、各発光源と特定部との距離が短くなり、より強い光をより効率的に特定部に届けることができるものである。
【００４３】
また、前記した実施の形態では、第１発光源と第２発光源の配置箇所としては、円の外周近傍に一重又は二重に設けられていたが、本発明はこれに限るものではなく、特定部が複雑な形状の場合には、その形状の外周近傍に合わせて第１発光源及び第２発光源を配置する必要がある。また、第１発光源と第２発光源の配置箇所が一重又は二重である必要はなく、例えば、特に大きな特定部全体を光らせたいとき等は、第２発光源を二重に配置して、合計三重に発光源が配置されている構成としても良い。但し、一番内側に配置される第２発光源が特定部と対向する位置に配置される場合には、当該第２発光源の影が遊技者から見えないように、第２発光源の上に覆い（カバー）を付けるようにすると良い。
【符号の説明】
【００４４】
１０…パチンコ遊技機（遊技機）、１００，１００Ａ，１００Ｂ…発光装置、１１０，１１０Ａ，１１０Ｂ…カバー部材、１１１，１１１Ａ，１１１Ｂ…特定部、１３０，１３０Ａ，１３０Ｂ…第１発光源（発光源）、１４０，１４０Ａ，１４０Ｂ…第２発光源（発光源）
【図１】
2013116257.tif 000003
【図２】
2013116257.tif 000004
【図３】
2013116257.tif 000005
【図４】
2013116257.tif 000006
【図５】
2013116257.tif 000007
【図６】
2013116257.tif 000008
【図７】
2013116257.tif 000009
【図８】
2013116257.tif 000010
【図９】
2013116257.tif 000011